(57)【要約】【課題】特定の閲覧者のみしか解読できないように、閲覧情報を特殊コードに変換する情報処理装置、および特殊コードを解読する情報処理装置を提供する。【解決手段】閲覧情報を特殊コードに変換する情報処理装置であって、前記閲覧情報を特殊情報により暗号化する手段と、前記暗号化した閲覧情報と前記特殊情報とを、特殊コードに変換する手段と、前記特殊コードを出力する手段とを有する。また、前述の特殊コードを復号化する情報処理装置であって、前記特殊コードに含まれている特殊情報と、閲覧者が入力した特殊情報とを比較する手段と、前記特殊コードに含まれている特殊情報と前記閲覧者が入力した特殊情報とが一致するときに、前記暗号化された閲覧情報を復元する手段とを有する。【選択図】        図４
2007256408.tif 000002
【特許請求の範囲】
【請求項１】
閲覧情報を特殊コードに変換する情報処理装置であって、
前記閲覧情報を特殊情報により暗号化する手段と、
前記暗号化した閲覧情報と前記特殊情報とを、特殊コードに変換する手段と、
前記特殊コードを出力する手段とを有することを特徴とする情報処理装置。
【請求項２】
前記請求項１に記載の特殊コードを復号化する情報処理装置であって、
前記特殊コードに含まれている特殊情報と、閲覧者が入力した特殊情報とを比較する手段と、
前記特殊コードに含まれている特殊情報と前記閲覧者が入力した特殊情報とが一致するときに、前記暗号化された閲覧情報を復元する手段とを有することを特徴とする情報処理装置。
【発明の詳細な説明】
【技術分野】
【０００１】
本発明は、情報処理装置に係り、特に、閲覧情報に特殊情報を含めて特殊コードを作成、出力し、あるいは、この特殊コードを受け入れて特殊情報の妥当性を確認し、閲覧情報に復元する情報処理装置に関する。
【背景技術】
【０００２】
閲覧される情報に割り当てるコードとして、ＱＲコードなどといったコードが従来から知られている。
また、ＱＲコードにて、情報提供サーバの情報を取得する方法が知られている（下記、特許文献１参照）。しかしながら、この特許文献１に記載された方法では、ＱＲコードのみで情報を閲覧することができない。
【０００３】
なお、本願発明に関連する先行技術文献としては以下のものがある。
【特許文献１】特開２００１−３１８８８６号公報
【発明の開示】
【発明が解決しようとする課題】
【０００４】
閲覧される情報を紙面類に出力した場合は情報漏洩の危険があった。例えば、はがき等の郵便物では郵便配達者、本人以外の受け取り者が閲覧可能である。
このように、閲覧される情報においては、作成者の元を離れ閲覧者に渡るまでの間に情報漏洩の危険があった。そのため、従来、情報をコード化することにより、情報漏洩を低減させてきている。
しかしながら、コードを解読する手段さえあれば、誰でも閲覧できるという問題があった。また、解読する際、解読コード等の情報が情報提供サーバにあり、情報処理装置のみで閲覧できなかった。
本発明は、前記従来技術の問題点を解決するためになされたものであり、本発明の目的は、特定の閲覧者のみしか解読できないように、閲覧情報を特殊コードに変換する情報処理装置、および特殊コードを解読する情報処理装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、閲覧情報を特殊コードに変換する情報処理装置であって、前記閲覧情報を特殊情報により暗号化する手段と、前記暗号化した閲覧情報と前記特殊情報とを、特殊コードに変換する手段と、前記特殊コードを出力する手段とを有することを特徴とする。
また、本発明は、前述の特殊コードを復号化する情報処理装置であって、前記特殊コードに含まれている特殊情報と、閲覧者が入力した特殊情報とを比較する手段と、前記特殊コードに含まれている特殊情報と前記閲覧者が入力した特殊情報とが一致するときに、前記暗号化された閲覧情報を復元する手段とを有することを特徴とする。
本発明では、閲覧情報を、特殊情報（情報作成者と閲覧者のみが知っている個別の情報）で暗号化し、暗号化した閲覧情報と特殊情報とを特殊コードに変換するようにしたので、情報漏洩の危険がある郵便物や写真等を、確実に閲覧者のみが閲覧することが可能となり、かつ、例えば、特殊コードを紛失した場合等であっても他人に情報が漏洩することがない。
【発明の効果】
【０００６】
本願において開示される発明のうち代表的なものによって得られる効果を簡単に説明すれば、下記の通りである。
本発明によれば、特定の閲覧者のみしか解読できないように、閲覧情報を特殊コードに変換することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の情報装置の概略構成を示すブロック図である。
図１において、閲覧される情報（以下、閲覧情報という。）１００は、情報処理装置１１０によって特殊コードに変換され、コード化された情報１２０となり、情報処理装置１３０により解読され、閲覧情報１００に復元される。
図２は、図１に示す情報処理装置１１０の概略構成を示すブロック図である。
図２に示すように、情報処理装置１１０は、閲覧情報１００を挿入する部分である情報挿入部２１０と、利用者に操作案内を行なう表示部２２０と、利用者が操作を入力する部分である操作入力部２３０と、閲覧情報１００を読み取る情報読取部２４０と、閲覧情報１００の暗号化・コード化を行なうコード化制御部２６０と、コード化された情報１２０を排出する情報排出部２７０と、情報処理装置１１０全体を制御する制御部２５０とから構成される。
図３は、図１に示す情報処理装置１３０の概略構成を示すブロック図である。
情報処理装置１３０は、コード化された情報１２０を挿入する部分である情報挿入部３１０と、利用者に操作案内を行なう表示部３２０と、利用者が操作を入力する部分である操作入力部３３０と、コード化された情報１２０を読取る情報読取部３４０と、コード化された情報１２０のコードの解読を行なうコード解読制御部３６０と、閲覧情報１００を排出する情報排出部３７０と、情報処理装置１３０全体を制御する制御部３５０とから構成される。
【０００８】
図４は、本実施例の情報処理装置において、複数の閲覧者に閲覧情報を送る場合の手順を説明するための図である。
閲覧情報１００の作成者４００は、複数の閲覧者（４０１〜４０３）に閲覧情報１００を送る場合、情報処理装置１１０を利用して、コード化された情報（１２１〜１２３）を作成する。
なお、本実施例において、コード化された情報は、例えば、ＱＲコードなどの２次元バーコード、あるいは、３次元バーコードを意味する。
情報処理装置１１０は、閲覧情報１００と、作成者４００および閲覧者４０１のみ知っている個別の情報を含む特殊情報（パスワード）を関連させてコード化を行ない、コード化された情報１２１を作成する。ここで、情報処理装置１１０は、閲覧情報１００を、パスワードにより暗号化した後、暗号化した閲覧情報１００とパスワードとを特殊コードに変換する。
【０００９】
また、情報処理装置１１０は、閲覧情報１００と作成者４００および閲覧者４０２のみ知っている個別の情報を含む特殊情報（パスワード）を関連させてコード化を行ない、コード化された情報１２２を作成する。
さらに、情報処理装置１１０は閲覧情報１００と作成者４００および閲覧者４０３のみ知っている個別の情報を含む特殊情報（パスワード）を関連させてコード化を行ない、コード化された情報１２３を作成する。
コード化された際の特殊情報（パスワード）は、作成者４００および閲覧者４０１、作成者４００および閲覧者４０２、作成者４００および閲覧者４０３にとって唯一の情報であるため、コード化された情報（１２１〜１２３）は異なったコードとなる。
情報処理装置１３０は、閲覧者（４０１〜４０３）が入力した特殊情報（パスワード）により、コード化された情報（１２１〜１２３）から閲覧情報１００を復元する。
コード化された情報（１２１〜１２３）は、閲覧者（４０１〜４０３）のみ閲覧することが可能なため、情報漏洩を防ぐことができる。
【００１０】
図５は、情報処理装置１１０において、閲覧情報１００を特殊コードに変換する際の処理手順を示すフローチャートである。
閲覧情報１００を情報挿入部２１０に挿入し（ステップ５０１）、情報読取部２４０にて読み取る（ステップ５０２）。
操作入力部２３０から特殊情報（パスワード）が入力されると（ステップ５０３）、コード化制御部２６０によって、暗号化・コード化を行ない（ステップ５０４）、コード化された情報１２０を情報排出部２７０より排出する（ステップ５０５）。
図６は、情報処理装置１３０において、コード化された情報１２０を復元する際の処理手順を示すフローチャートである。
コード化された情報１２０を情報挿入部３１０に挿入し（ステップ６０１）、情報読取部３４０にて読み取る（ステップ６０２）。
操作入力部３３０から特殊情報（パスワード）が入力されると（ステップ６０３）、コード解読制御部３６０によって、復元を行ない（ステップ６０４）、閲覧情報１００を情報排出部３７０より排出する（ステップ６０５）。
【００１１】
図７は、図５のステップ５０３の詳細な処理手順を示すフローチャートである。
情報処理装置１１０は、作成者４００および閲覧者（４０１〜４０３）のみ知っている個別の情報を特殊情報（パスワード）にするため、表示部２２０に、「閲覧者（４０１〜４０３）にしかわからない質問等を入力して下さい」と表示して、特殊情報（パスワード）が唯一のものとなるようにし（ステップ７０１）、作成者４００は操作入力部２３０により質問事項を入力する（ステップ７０２）。
次に、表示部２２０に、「特殊情報（パスワード）を入力して下さい」を表示して、閲覧者（４０１〜４０３）に入力すべき特殊情報（パスワード）を入力させ（ステップ７０３）、作成者４００は、操作入力部２３０により特殊情報（パスワード）を入力する（ステップ７０４）。
したがって、特殊情報（パスワード）は、作成者４００および閲覧者（４０１〜４０３）のみ知っている個別の情報となるため情報漏洩を防ぐことが出来る。
図８は、図６のステップ６０３の詳細な処理手順を示すフローチャートである。
情報処理装置１３０は、表示部３２０に、図７のステップ７０２で入力した質問事項を表示し（ステップ８０１）、閲覧者（４０１〜４０３）は、操作入力部３３０により特殊情報（パスワード）を入力する（ステップ８０２）。
【００１２】
図９は、図６のステップ６０４の詳細な処理手順を示すフローチャートである。
情報処理装置１３０は、情報読取部３４０により、コード化された情報１２０から情報を取得し（ステップ９０１）、操作入力部３３０により閲覧者が入力した特殊情報（パスワード）を取得する（ステップ９０２）。
次に、コード解読制御部３６０により、コード化された情報１２０から特殊情報（パスワード）を解読し（ステップ９０３）、入力された特殊情報（パスワード）とコード化された情報１２０から読取った特殊情報（パスワード）とを比較して、一致しているかを判断する（ステップ９０４）。
ステップ９０４において、ＹＥＳ、即ち、正しい特殊情報（パスワード）であるなら、コード解読制御部３６０により、閲覧情報１００の復元を行ない（ステップ９０５）、ステップ９０４において、ＮＯ、即ち、正しくない特殊情報（パスワード）ならば、表示部３２０に復元不可を表示する（ステップ９０６）。
以上説明したように、本実施例では、情報作成者が閲覧者を特定することで、他人がいかなる場合でも情報を閲覧することができないため、情報の盗難および紛失があった場合でも情報漏洩を未然に防ぐことが期待できる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明の実施例の情報装置の概略構成を示すブロック図である。
【図２】図１に示す情報処理装置１１０の概略構成を示すブロック図である。
【図３】図１に示す情報処理装置１３０の概略構成を示すブロック図である。
【図４】本発明の実施例の情報処理装置において、複数の閲覧者に閲覧情報を送る場合の手順を説明するための図である。
【図５】図１に示す情報処理装置１１０において、閲覧情報１００を特殊コードに変換する際の処理手順を示すフローチャートである。
【図６】図１に示す情報処理装置１３０において、コード化された情報１２０を復元する際の処理手順を示すフローチャートである。
【図７】図５のステップ５０３の詳細な処理手順を示すフローチャートである。
【図８】図６のステップ６０３の詳細な処理手順を示すフローチャートである。
【図９】図６のステップ６０４の詳細な処理手順を示すフローチャートである。
【符号の説明】
【００１４】
１００  閲覧情報
１１０，１３０  情報処理装置
１２０〜１２３  コード化された情報
２１０，３１０  情報挿入部
２２０，３２０  表示部
２３０，３３０  操作入力部
２４０，３４０  情報読取部
２５０，３５０  制御部
２６０  コード化制御部
２７０，３７０  情報排出部
３６０  コード解読制御部
４００  情報作成者
４０１〜４０３  情報閲覧者
【図１】
2007256408.tif 000003
【図２】
2007256408.tif 000004
【図３】
2007256408.tif 000005
【図４】
2007256408.tif 000006
【図５】
2007256408.tif 000007
【図６】
2007256408.tif 000008
【図７】
2007256408.tif 000009
【図８】
2007256408.tif 000010
【図９】
2007256408.tif 000011